(57)【特許請求の範囲】
【請求項１】
間接活線工法において活線状態の電線を切断する作業に使用され、切断した電線を互いに離間した状態に支持する電線開放支持具であって、
前記電線の切断箇所の一方の側の部分を挟持する第１クリップと、前記電線の切断箇所の他方の側の部分を挟持する第２クリップと、前記第１クリップと前記第２クリップとの間に連結されるとともに、前記第１クリップと第２クリップとを互いに離間する方向に付勢する弾性部材とを備え、
前記弾性部材は、前記第１クリップと前記第２クリップとを、前記電線の軸線と交差する方向に互いに離間させる弾性力を有していることを特徴とする電線開放支持具。
【請求項２】
前記弾性部材は、ねじりコイルばねであって、両端の腕部がコイル軸を中心として相対するように設けられ、一方の腕部が前記第１クリップに連結され、他方の腕部が前記第２クリップに連結されていることを特徴とする請求項１に記載の電線開放支持具。
【請求項３】
前記ねじりコイルばねは、コイル軸が同一線上に位置するように対向配置される一対のコイル部と、一方のコイル部の他端の腕部と他方のコイル部の一端の腕部との間を連結する連結部とを備え、一方のコイル部の一方の腕部が前記第１クリップに連結され、他方のコイル部の他方の腕部が前記第２クリップに連結されていることを特徴とする請求項２に記載の電線開放支持具。
【発明の詳細な説明】
【技術分野】
【０００１】
本発明は、電線開放支持具に関し、特に、間接活線工法による高圧線縁線の切断作業に有効な電線開放支持具に関する。
【背景技術】
【０００２】
従来、間接活線工法による高圧線縁線の切断作業においては、切断後に高圧線縁線の充電部を露出させることになるため、切断した高圧線縁線が風等によって振れることにより地絡、短絡等の事故を起こすおそれがある。
【０００３】
このため、切断した高圧線縁線の充電部に端末キャップを取り付けるまでの間は、切断した高圧線縁線を各種の電線開放支持具で支持し、切断した高圧線縁線の充電部を離間させた状態に支持し続ける必要がある。
【０００４】
この種の電線支持具の例が特許文献１に記載されている。特許文献１に記載の電線支持具は、工具本体と、工具本体の他端側で伸縮作動する伸縮杆と、工具本体の一端側及び伸縮杆の先端部に連結される一対のチャックと、工具本体の一端側に取り付けられるハンドル側電線保持具と、伸縮杆の先端側に取り付けられる伸縮杆側電線保持具とから構成されている。
【０００５】
このような構成の電線開放支持具（活線振分工具）を使用して、切断した電線を支持するには、電線の所要部に両チャックを固定し、ハンドルで伸縮杆を収縮作動させて両チャックを対向方向に引張ることにより両チャック間の電線部分を撓ませた後、撓んだ電線部分の両端部側をハンドル側電線保持具と伸縮杆側電線保持具とにより保持固定し、両保持具間の電線部分を一方の保持具に近い位置で切断し、他方の保持具を工具本体の下側に向けて電線を振り分ける。
【先行技術文献】
【特許文献】
【０００６】
【特許文献１】特開２００８−２０６２５４号公報
【発明の概要】
【発明が解決しようとする課題】
【０００７】
しかし、特許文献１に記載の電線開放支持具にあっては、構造が複雑で操作に熟練度が要求されるため、経験の浅い作業者が操作する場合には、誤って切断した電線の充電部を金物に接触させるおそれがある。また、重量が重いため、高所での操作性が悪く、電線の切断作業に時間と手間がかかる。
【０００８】
本発明は、上記のような従来の問題に鑑みなされたものであって、間接活線工法により電線を切断する場合に、作業者の熟練度に影響されることなく、電線の切断作業を安全に行うことができるとともに、電線の切断作業を容易に、短時間で行うことができる電線開放支持具を提供することを目的とする。
【課題を解決するための手段】
【０００９】
上記のような課題を解決するために、本発明は、以下のような手段を採用している。
すなわち、本発明は、間接活線工法において活線状態の電線を切断する作業に使用され、切断した電線を互いに離間した状態に支持する電線開放支持具であって、前記電線の切断箇所の一方の側の部分を挟持する第１クリップと、前記電線の切断箇所の他方の側の部分を挟持する第２クリップと、前記第１クリップと前記第２クリップとの間に連結されるとともに、前記第１クリップと第２クリップとを互いに離間する方向に付勢する弾性部材とを備え、前記弾性部材は、前記第１クリップと前記第２クリップとを、前記電線の軸線と交差する方向に互いに離間させる弾性力を有していることを特徴とする。
【００１０】
本発明の電線開放支持具によれば、第１クリップで電線の切断箇所の一方の側の部分を挟持し、第２クリップで電線の切断箇所の他方の側の部分を挟持し、この状態で、電線の切断箇所を切断することにより、第１クリップと第２クリップとが弾性部材によって付勢されて電線の軸線と交差する方向に互いに離間され、第１クリップ及び第２クリップに追従して、電線の切断箇所の一方の側の部分と他方の側の部分とが電線の軸線と交差する方向に互いに離間される。
そして、この状態で、電線の切断箇所の一方の側の部分の充電部、及び他方の側の部分の充電部に端末キャップを取り付けることにより、両充電部を絶縁処理することができる。
従って、作業者の熟練度に影響されることなく、経験の浅い作業者であっても、電線の切断作業を容易に、短時間で行うことができるとともに、短絡、地絡事故の発生を確実に防止することができる。
【００１３】
また、本発明において、前記弾性部材は、ねじりコイルばねであって、両端の腕部がコイル軸を中心として相対するように設けられ、一方の腕部が前記第１クリップに連結され、他方の腕部が前記第２クリップに連結されていることとしてもよい。
【００１４】
本発明の電線開放支持具によれば、第１クリップと第２クリップとを手で持って、両クリップをねじりコイルばねの巻き付け方向にねじることにより、第１クリップ及び第２クリップにねじりコイルばねによるばね力が付与される。そして、この状態で、第１クリップで電線の切断箇所の一方の側の部分を挟持し、第２クリップで他方の側の部分を挟持し、電線を切断箇所から切断することにより、ねじりコイルばねの復元力によって第１クリップ及び第２クリップが元の位置に復帰し、第１クリップ及び第２クリップに追従して電線の切断箇所の一方の側の部分及び他方の側の部分が同一方向に移動し、一方の側の部分と他方の側の部分とが離間した状態に支持されることになる。
【００１５】
また、本発明において、前記ねじりコイルばねは、コイル軸が同一線上に位置するように対向配置される一対のコイル部と、一方のコイル部の他端の腕部と他方のコイル部の一端の腕部との間を連結する連結部とを備え、一方のコイル部の一方の腕部が前記第１クリップに連結され、他方のコイル部の他方の腕部が前記２クリップに連結されていることとしてもよい。
【００１６】
本発明の電線開放支持具によれば、第１クリップ及び第２クリップをねじりコイルばねの一対のコイル部の巻き付け方向にねじることにより、第１クリップ及び第２クリップに一対のコイル部によるばね力が付与され、このばね力により、第１クリップで挟持した電線の切断箇所の一方の側の部分と第２クリップで挟持した電線の切断箇所の他方の側の部分とが互いに離間する方向に移動され、互いに離間した状態に支持されることになる。
【発明の効果】
【００１９】
以上、説明したように、本発明の電線開放支持具によれば、作業者の熟練度に影響されることなく、経験の浅い作業者であっても、容易に、短時間で、安全に電線を切断し、切断した電線の充電部の絶縁処理を行うことができる。
【図面の簡単な説明】
【００２０】
【図１】本発明による電線開放支持具の一実施の形態の全体を示した斜視図である。である。
【図２】図１の電線開放支持具による作業手順を示した説明図であって、電線開放支持具を電線の切断箇所に近接する位置に配置した状態を示した説明図である。
【図３】図２の電線開放支持具のクリップの挟み部に電線を挿通させた状態を示した説明図である。
【図４】図２の電線開放支持具のクリップで電線の切断箇所の両側を挟持した状態を示した説明図である。
【図５】電線開放支持具のクリップで電線の切断箇所の両側を挟持した状態で、電線の切断箇所を切断した状態を示した説明図である。
【発明を実施するための形態】
【００２１】
以下、図面を参照しながら本発明の実施の形態について説明する。
図１〜図５には、本発明による電線開放支持具の一実施の形態が示されている。本実施の形態の電線開放支持具１は、例えば、間接活線工法による電線の切断作業に使用され、切断した電線の充電部に端末キャップを取り付けるまでの間、切断した電線を支持続けるのに有効なものである。
なお、本実施の形態においては、張力のかかっていない高圧線縁線１５の切断作業に適用している。
【００２２】
本実施の形態の電線開放支持具１は、図１に示すように、第１クリップ２と、第２クリップ６と、第１クリップ２と第２クリップ６との間に連結されるとともに、両クリップ２、６を互いに離間する方向に付勢する弾性部材１０とから構成されている。
【００２３】
第１クリップ２は、合成樹脂等の絶縁材からなる一対の帯板状のクリップ部材２ａ、２ｂと、両クリップ部材２ａ、２ｂを回動自在に連結する合成樹脂等の絶縁材からなる連結軸３と、両クリップ部材２ａ、２ｂの先端間を閉じる方向に付勢するばね（図示せず）とから構成されている。
【００２４】
第１クリップ２は、連結軸３よりも先方側の部分が高圧線縁線１５を挟持する一対の挟み４ａ、４ｂからなる挟み部４に構成され、連結軸３よりも後方側の部分が挟み部４の一対の挟み４ａ、４ｂの先端間を開閉させる一対の柄５ａ、５ｂからなる柄部５に構成されている。柄部５は、両柄５ａ、５ｂ間の間隔が連結軸３から後端にかけて順次広がるように角度が設定されている。
【００２５】
第２クリップ６は、第１クリップ２と同様の構成を有するものであって、合成樹脂等の絶縁材からなる一対の帯板状のクリップ部材６ａ、６ｂと、両クリップ部材６ａ、６ｂを回動自在に連結する合成樹脂等の絶縁材からなる連結軸７と、両クリップ部材６ａ、６ｂを先端間を閉じる方向に付勢するばね（図示せず）とから構成されている。
【００２６】
第２クリップ６は、第１クリップ２と同様に、連結軸７よりも先方側の部分が高圧線縁線１５を挟持する一対の挟み８ａ、８ｂからなる挟み部８に構成され、連結軸７よりも後方側の部分が挟み部８の一対の挟み８ａ、８ｂの先端間を開閉させる一対の柄９ａ、９ｂからなる柄部９に構成されている。柄部９は、両柄９ａ、９ｂ間の間隔が連結軸７から後端にかけて順次広がるように角度が調整されている。
【００２７】
第１クリップ２及び第２クリップ６の柄部５、９を手で握って、両柄５ａ、５ｂ、９ａ、９ｂを間隔を狭める方向に力を加えることにより、挟み部４、８の一対の挟み４ａ、４ｂ、８ａ、８ｂの先端間をばねの付勢力に抗して開くことができ、柄部５、９の両柄５ａ、５ｂ、９ａ、９ｂから手を離して力を開放させることにより、挟み部４、８の一対の挟み４ａ、４ｂ、８ａ、８ｂの先端間をばねの付勢力によって閉じることができる。
【００２８】
なお、本実施の形態においては、第１クリップ２及び第２クリップ６の柄部５、９の両柄５ａ、５ｂ、９ａ、９ｂの複数箇所で高圧線縁線１５を挟持することが可能に構成されており、高圧線縁線１５の線径に応じて柄部５、９の両柄５ａ、５ｂ、９ａ、９ｂ間の先端部、後端部、中央部等の適宜の位置で高圧線縁線１５を挟持することができる。
【００２９】
本実施の形態においては、弾性部材１０としてねじりコイルばね１０を使用している。ねじりコイルばね１０は、所定の間隔をおいて対向配置される一対のコイル部（第１コイル部１１及び第２コイル部１２）と、両コイル部１１、１２の両端から巻き込み方向に引き出される腕部１１ａ、１１ｂ、１２ａ、１２ｂと、第１コイル部１１の右端の第２腕部１１ｂと第２コイル部１２の左端の第１腕部１２ａ間を連結する連結部１３とから構成されている。
【００３０】
第１コイル部１１及び第２コイル部１２は、線径、コイル内径、コイル外径、巻数、ばね定数等が同一のコイル状をなすものであって、コイル軸が同一線上に位置するように対向配置されている。第１コイル部１１及び第２コイル部１２は、第１コイル部１１の左端の第１腕部１１ａ、及び第２コイル部１２の右端の第２腕部１２ｂがねじりモーメントを受けることにより、各コイル部１１、１２にコイル軸周りにばね力を発生させるようになっている。
【００３１】
第１コイル部１１の第２腕部１１ｂ及び第２コイル部１２の第１腕部１２ａは、両コイル部１１、１２からの引き出し方向、及び引き出し長さが同一に設定され、両腕部１１ｂ、１２ａの先端間が両コイル部１１、１２のコイル軸に平行な連結部１３によって連結されている。
【００３２】
第１コイル部１１の第１腕部１１ａ及び第２コイル部１２の第２腕部１２ｂは、両コイル部１１、１２のコイル軸を中心として相対するように引き出し方向が設定されるとともに、引き出し長さが同一に設定されている。これにより、両腕部１１ａ、１２ｂがねじりモーメントを受けた際に、両コイル１１、１２に同一のばね力を発生させることができる。
【００３３】
上記のような構成のねじりコイルばね１０は、第１コイル部１１の第１腕部１１ａが第１クリップ２の柄部５の一方の柄５ａの端部に連結され、第２コイル部１２の第２腕部１２ｂが第２クリップ６の柄部９の他方の柄９ｂの端部に連結されている。この場合、第１クリップ２及び第２クリップ６の連結軸３、７の軸線が第１コイル部１１及び第２コイル部１２のコイル軸と平行となるように、かつ、第１クリップ２及び第２クリップ６が第１コイル部１１及び第２コイル部１２のコイル軸を中心として相対する位置に位置するように、ねじりコイルばね１０に対する第１クリップ２及び第２クリップ６の連結位置が設定されている。
【００３４】
次に、上記のように構成した本実施の形態の電線開放支持具１の使用方法について説明する。
高圧線縁線１５を切断する場合には、まず、図２に示すように、高圧線縁線１５の切断箇所１７に近接する位置に電線開放支持具１を配置し、電線開放支持具１の第１クリップ２及び第２クリップ６を手で持ち、両クリップ２、６をねじりコイルばね１０の両コイル部１１、１２のばね力に抗して両コイル部１１、１２の巻き込み方向（矢印ａ、ｂ方向）にねじることにより、両クリップ２、６が両コイル部１１、１２のコイル軸を中心として同一方向を向くように調整する。
【００３５】
次に、図３に示すように、第１クリップ２及び第２クリップ６の柄部５、９の両柄５ａ、５ｂ、９ａ、９ｂを手で握り、両柄５ａ、５ｂ、９ａ、９ｂに力を加えることによって両クリップ２、６の挟み部４、８の両挟み４ａ、４ｂ、８ａ、８ｂの先端間を開き、第１クリップ２の挟み部４の両挟み４ａ、４ｂ間に高圧線縁線１５の切断箇所１７の一方側部分１５ａを挿通させ、第２クリップ６の挟み部９の両挟み９ａ、９ｂ間に高圧線縁線１５の切断箇所１７の他方側の部分１５ｂを挿通させる。
【００３６】
次に、図４に示すように、第１クリップ２及び第２クリップ６の柄部５、９から手を放すことにより、第１クリップ２の柄部５の両柄５ａ、５ｂ間で高圧線縁線１５の切断箇所１７の一方側の部分１５ａを挟持し、第２クリップ６の柄部９の両柄９ａ、９ｂ間で高圧線縁線１５の切断箇所１７の他方側の部分１５ｂを挟持する。
【００３７】
次に、図５に示すように、切断工具を用いて高圧線縁線１５の切断箇所１７を切断する。これにより、第１クリップ２及び第２クリップ６がねじりコイルばね１０の両コイル部１１、１２の復元力により、両コイル部１１、１２のコイル軸を中心として元の位置の方向に回動し、両クリップ２、６に追従して高圧線縁線１５の切断箇所１７の一方側の部分１５ａと他方側の部分１５ｂとが同一方向に回動し、高圧線縁線１５の切断箇所１７の一方側の部分１５ａと他方側の部分１５ｂとが高圧線縁線１５の軸線と交差する方向に互いに移動し、切断した高圧線縁線１５の一方側の部分１５ａと他方側の部分１５ｂとが互いに離間した状態に支持される。
【００３８】
そして、この状態で切断した高圧線縁線１５の一方側の部分１５ａの充電部１６ａ、及び他方側の部分１５ｂの充電部１６ｂにそれぞれ端末キャップ１８を取り付けることにより、両充電部１６ａ、１６ｂを端末キャップ１８で絶縁することができる。
【００３９】
上記のように構成した本実施の形態の電線開放支持具１にあっては、第１クリップ２と第２クリップ６とをねじりコイルばね１０の巻き付け方向にねじって、第１クリップ２と第２クリップ６とによって高圧線縁線１５の切断箇所１７の一方側の部分１５ａと他方側の部分１５ａとを挟持し、この状態で切断箇所１７を切断することにより、切断した高圧線縁線１５の一方側の部分１５ａと他方側の部分１５ｂとを高圧線縁線１５の軸線と交差する方向に移動させて互いに離間した状態に支持することができ、この状態で、切断した高圧線縁線１５の一方側の部分１５ａの充電部１６ａ、他方側の部分１５ｂの充電部１６ｂにそれぞれ端末キャップ１８を取り付けることにより、両充電部１６ａ、１６ｂを絶縁することができる。
【００４０】
従って、簡単な操作で高圧線縁線１５の切断箇所１７の一方側の部分１５ａと他方側の部分１５ｂとを互いに離間した状態に支持し、切断した高圧線縁線１５の一方側の部分１５ａの充電部１６ａ、及び他方側の部分１５ｂの充電部１６ｂに端末キャップ１８を取り付けることができるので、操作に熟練度を要する必要はなく、作業経験の浅い作業者であっても、確実に操作して、切断した高圧線縁線１５の充電部１６ａ、１６ｂを絶縁処理することができ、作業者のミスによる地絡、短絡事故の発生を確実に防止することができるとともに、作業者の安全を確保することができる。
【００４１】
また、第１クリップ２と、第２クリップ６と、第１クリップ２と第２クリップ６との間を連結するねじりコイルばね１０とからなる簡単な構成のものであるので、容易に製作することができ、製作コストを安く抑えることができる。
【００４２】
また、第１クリップ２及び第２クリップ６は合成樹脂等の絶縁材からなる軽量のものであり、この軽量の第１クリップ２と第２クリップ６との間をねじりコイルばね１０で連結しているので、電線開放支持具１の全体を軽量化することができ、高所での操作性を高めることができ、高圧線縁線１５の切断作業を効率よく行うことができる。
【００４３】
なお、前記の説明においては、ねじりコイルばね１０を、第１コイル部１１と、第２コイル部１２と、第１コイル部１１と第２コイル部１２とを連結する連結部１３とによって構成したが、所定のばね力が得られる場合には、１つのコイル部によってねじりコイルばね１０を構成してもよい。
【００４４】
また、前記の説明においては、弾性部材１０としてねじりコイルばね１０を使用したが、ねじりコイルばね１０に限らず、第１クリップ２と第２クリップ６とで高圧線縁線１５の切断箇所１７の一方側の部分１５ａと他方側の部分１５ｂとを挟持した状態で、切断箇所１７の一方側の部分１５ａと他方側の部分１５ｂとを高圧線縁線１５の軸線と交差する方向に互いに離間させることができるものであればよい。
【００４５】
また、前記の説明においては、弾性部材１０としてのねじりコイル１０ばねのばね力により、高圧線縁線１５の切断箇所１７の一方側の部分１５ａと他方側の部分１５ｂとを高圧線縁線１５の軸線と交差する方向に移動させることにより、その方向に高圧線縁線１５の切断箇所１７の一方側の部分１５ａと他方側の部分１５ｂとを互いに離間させるように構成したが、高圧線縁線１５の切断箇所１７の一方側の部分１５ａと他方側の部分１５ｂとを高圧線縁線１５の軸線方向に移動させることにより、その方向に高圧線縁線１５の切断箇所の一方側の部分１５ａと他方側の部分１５ｂとを互いに離間させるように、第１クリップ２と第２クリップ６との間を各種の弾性部材１０で連結するように構成してもよい。
【００４６】
また、前記の説明においては、張力がかかっていない高圧線縁線１５の切断作業に本発明の電線開放支持具１を適用したが、張力のかかっている高圧線縁線１５や、その他の各種の電線の切断作業に本発明の電線開放支持具１を適用してもよい。
【符号の説明】
【００４７】
１  電線開放支持具
２  第１クリップ
２ａ  クリップ部材
２ｂ  クリップ部材
３  連結軸
４  挟み部
４ａ  挟み  
４ｂ  挟み
５  柄部
５ａ  柄
５ｂ  柄
６  第２クリップ
６ａ  クリップ部材
６ｂ  クリップ部材
７  連結軸
８  挟み部
８ａ  挟み  
８ｂ  挟み
９  柄部
９ａ  柄
９ｂ  柄
１０  弾性部材（ねじりコイルばね）
１１  第１コイル部
１１ａ  腕部
１１ｂ  腕部
１２  第２コイル部
１２ａ  腕部
１２ｂ  腕部
１３  連結部
１５  高圧線縁線
１５ａ  一方側の部分
１５ｂ  他方側の部分
１６ａ  充電部
１６ｂ  充電部
１７  切断箇所
１８  端末キャップ
【要約】
【課題】  間接活線工法において活線状態にある電線の切断作業を容易に、短時間で、安全に行うことができる電線開放支持具を提供する。
【解決手段】  間接活線工法において活線状態の電線を切断する作業に使用され、切断した電線を互いに離間した状態に支持する電線開放支持具１であって、前記電線の切断箇所の一方の側の部分を挟持する第１クリップ２と、前記電線の切断箇所の他方の側の部分を挟持する第２クリップ６と、前記第１クリップ２と前記第２クリップ６との間に連結されるとともに、前記第１クリップ２と第２クリップ６とを互いに離間する方向に付勢する弾性部材１０とを備えている。
【選択図】        図１【図１】
0005461667.tif 000002
【図２】
0005461667.tif 000003
【図３】
0005461667.tif 000004
【図４】
0005461667.tif 000005
【図５】
0005461667.tif 000006